(57)【要約】  観察者による、より良い鑑賞のために変形された図形要素を有するタイプの、地面上に配置するための平坦な広告装置であって、前記図形要素が、１つの軸に沿ってだけ変形され、前記変形が１００％未満の伸長からなることを特徴とする、装置。
2017522619.tif 000002
【特許請求の範囲】
【請求項１】
観察者による、より良い鑑賞のために変形された図形要素を有するタイプの、地面上に配置するための平坦な広告装置であって、
前記図形要素が、１つの軸に沿ってだけ変形され、前記変形が１００％未満の伸長からなることを特徴とする、装置。
【請求項２】
前記変形が、５０％以下であることを特徴とする請求項１に記載の装置。
【請求項３】
前記変形が、２０％以上であることを特徴とする請求項１又は２に記載の装置。
【請求項４】
前記変形が４０％以下であることを特徴とする請求項３に記載の装置。
【請求項５】
前記図形モチーフがカットアウトされ、前記装置の可視のシルエットが、前記図形モチーフのシルエットと一致することを特徴とする請求項１〜４のいずれか一項に記載の装置。
【請求項６】
前記図形モチーフは様々な独立した図形サブモチーフを備え、前記独立した図形サブモチーフは、地面でカムフラージュされるブリッジ要素によって結合されることを特徴とする請求項５に記載の装置。
【請求項７】
前記カムフラージュは芝生を模倣するカムフラージュであることを特徴とする請求項６に記載の装置。
【請求項８】
前記装置が、より高密度の材料からなるバラスト層を有して、ＥＶＡ（エチルビニルアセテート）から作られることを特徴とする請求項１〜７のいずれか一項に記載の装置。
【請求項９】
前記バラスト層がゴムからなることを特徴とする請求項８に記載の装置。
【請求項１０】
請求項１〜９のいずれか一項に記載の広告装置のスポーツアリーナにおける使用。
【請求項１１】
前記スポーツアリーナがサッカー場であることを特徴とする請求項１０に記載の使用。
【発明の詳細な説明】
【技術分野】
【０００１】
本発明は、新規性及び進歩性を有する特徴を持つ、平坦な広告装置に関する。
【０００２】
本発明の平坦な広告装置は、特に大きなスポーツアリーナ、より具体的にはサッカー場への用途を考えられているが、本発明はこの用途に限られるわけではない。
【背景技術】
【０００３】
スポーツアリーナ、特にサッカー場の大きなサイズのために、観客は、変形された態様で広告装置の画像及び英数字の要素を理解する。この影響は、変形によって図形要素及び／又は画像要素が重要性を奪われるような、地面に配置された平坦な広告装置の場合にはさらに明白である。
【０００４】
様々な方法が、上述した課題に対する解決策を提供する最先端のものにおいて既知である。
【０００５】
特許文献１は、アナモルフィックな技術を使用し、それによって地面に配置された広告装置の図形要素が、２つの垂直な軸に沿って変形されて、所定の観察点からの視野の線に垂直に置かれるようになる方法を開示している。観察点は、例えばカメラの観察点とすることができる。
【０００６】
他方で、特許文献２は異なるアナモルフィックな技術を開示しており、この技術によって、地面上にある平坦な広告装置の図形要素は、選択された観察点から、地面に垂直に位置づけられるようになるようにすべての方向に変形される。
【０００７】
これら技術には欠点がないわけではない。第１の欠点は、特定の点に位置付けられた観察者に対してのみの明らかな変形の課題しか解決しないということである。他の観察者に対しては、図形モチーフがさらにいっそう変形され、これは広告されるブランドのイメージに影響する。第２の欠点は、従来技術による広告装置を製造することは、選ばれる（ｔｏ  ｂｅ  ｔａｋｅｎ）スポーツグラウンドの測定を必要とすることである。第３の欠点は、使用可能な空間にぴったり合わない図形モチーフを頻繁に変形することが必要とされる場合があるということである。これは、サッカー場の端部で生じることが多い。
【先行技術文献】
【特許文献】
【０００８】
【特許文献１】国際公開第０９／３０４５５９号パンフレット
【特許文献２】国際公開第０９／８４３２３１号パンフレット
【発明の概要】
【発明が解決しようとする課題】
【０００９】
本発明の目的は、観客及び／又はカメラにとって過度にゆがめられて見えることがなく、フィールドの地面上に位置しているように認識される広告装置を開示することである。
【課題を解決するための手段】
【００１０】
具体的には、本発明は、観察者によってより良い表示のために変形された図形要素を有するタイプの、地面上への配置のための平坦な広告装置であって、図形要素がただ１つの軸に沿ってのみ変形され、前記変形が１００％未満の伸長からなることを特徴とする。好ましくは、変形は２０％以上かつ５０％未満である。より好ましくは、変形は４０％以上である。
【００１１】
本発明は、すべての方向に適用され、特定の点において変形が無いという印象を与えるように計算される、特定の変形を計算する既知の方法を捨て去ることを提案するとともに、複数の観察者が、図形モチーフを、図形モチーフから重要性を奪うように変形されていると認識することを意味する、（最先端のものに比較して）小さく、限定された変形を含めることを提案する。本発明によって提案される限定された変形の別の効果は、変形されたモチーフが成功裏に、地面上にあり、既知の最先端のもので生じる、部分的に持ち上げられている、又は完全に鉛直であることがないように見えることである。すべての場所から観客が図形モチーフにおける大きな変形に気付くことがないことから、プロデューサは、意図された以外の視点から広告装置を撮影することに気を付ける必要がないので、本発明はテレビジョン放送の演出を容易化する。
【００１２】
地面（例えば芝生）と、広告装置と、の間のコントラストを増加させるため、及び地面に対する装置の明確な傾斜のすべての効果を回避するために、図形モチーフの目に見えるシルエットを、装置のシルエットに一致させることができる。これは、例えばカッティングアウトによって達成することができる。
【００１３】
好ましくは、図形モチーフは様々な独立した図形サブモチーフを備え、これら独立した図形サブモチーフは、地面でカムフラージュされたブリッジ要素によって結合される。
【００１４】
より好ましくは、カムフラージュは芝生を模倣するカムフラージュである。
【００１５】
特定の好ましい実施形態では、装置はＥＶＡ（エチルビニルアセテート）からなり、より高密度の材料からなる底部バラスト層を有する。
【００１６】
より好ましくは、バラスト層はゴムからなる。
【００１７】
また、本発明は、本発明の主題を形成する広告装置の、スポーツアリーナ、好ましくはサッカー場における使用にも関する。
【００１８】
説明的かつ限定されるわけではない例によって、より明瞭な理解を可能にするために、本発明の主題を形成する広告装置の一実施形態のいくつかの図面が添付される。
【図面の簡単な説明】
【００１９】
【図１】本発明による装置の適用の斜視図である。
【図２】異なる視点からの図１の適用を示す図である。
【図３】本発明による平坦な広告装置の一実施形態の斜視図である。
【図４】本発明による変形の方法を図的に示す図である。
【発明を実施するための形態】
【００２０】
図１は、スポーツグラウンド、より具体的にはサッカー場に適用された本発明に係る広告装置１を示す。
【００２１】
広告装置１はフィールドの側部、すなわちプレイ領域１００の境界と、フィールドを階段状の観客席１０３から分離するバリア領域１０２と、の間のフリースペースに配置されている。見て取れるように、広告装置は、ブリッジ要素１１によって結合された２つのサブモチーフを有するカットアウト図形モチーフからなる。広告装置１は、互いに垂直な２つの主軸Ａ及びＢを画定する。軸Ｂは、プレイ領域１００を画定する横方向境界線に平行であり、装置１によって表示される広告モチーフは、前記軸Ｂに垂直な軸Ａの方向に変形されている。
【００２２】
図２は、反対側の観客席の高い段の位置からの、図１の装置の図を示す。広告装置１のモチーフが過度に変形されているようには見えず、地面に対して持ち上げられているか、又は傾斜しているようにも見えないことを見て取ることができる。この印象は、広告モチーフがカットアウトされていることのおかげである。この場合、広告モチーフのシルエット及び広告装置のシルエットは互いに一致している。言い換えると、広告装置は背景を有していない。このことは、表示された図形モチーフと、地面（芝生）と、の間に色対比を生み、装置が地面上にあるのか、それとも地面に対して傾斜しているのかを識別するのを困難にしている。そのため、このことは、軸Ａに沿った変形によって生じる場合のある地面に対する傾斜の印象を軽減する。また別の寄与要因は、プレイ領域１００に平行な軸Ｂに沿った対応する変形がないという事実である。変形のうちの軸Ａに沿った５０％だけの変形は、垂直な軸Ｂに沿った対応する変形を伴う場合には、広告装置が４８°の角度で傾斜している印象を与える。本発明の場合には、軸のうちの一方における変形がなく、図形モチーフのカットアウトはこの効果を覆い隠す。それにもかかわらず、この理由で、適用された変形の量を制限することが推奨される。
【００２３】
図３は、本発明による装置の可能性のある実施形態の斜視図を示す。例示の装置は、２つの層：上部のＥＶＡからなる１．５ｃｍの層１２及び下層のゴム又はエラストマ材料からなる１ｃｍの層１３からなる。
上層１２は選手に対する保護を提供し、一方で下層１３はバラストとして作用する。両方の層は、別々にレーザーカットし、続いて糊で一緒に張り付けることができる。このように、例の２層のアセンブリは、芝生から過度に突出しないように、２．５ｃｍ未満の厚みを有する。示された図形モチーフを作り上げる２つのサブモチーフはブリッジ要素によって結合されており、ブリッジ要素はデジタルカムフラージュ印刷（芝生の写真、又は芝生の色に似た色の）によって覆われ、その端部は芝生の陰影に似た緑色で陰影を施して塗られている。装置は単一な要素から構成することができるか、又は結合された様々な要素から形成することができる。装置が結合された様々な要素から形成される場合には、要素間の結合はサブモチーフ間のブリッジポイントにおいて、ジグソーパズルのピース間の連結ジョイントと類似の連結ジョイントを使用して作ることができる。
【００２４】
図４は、図的な形態で本発明に係る広告装置の図形モチーフを変形させるプロセスを示す。図４の図形モチーフは、ブリッジ要素１１によって結合された２つの独立した図形モチーフ１、１’からなる。図面に示すように、変形されていない状態の図形サブモチーフ９０、９０’は、それぞれ“ｏ”形状、及び四角形状である。変形されていない図形サブモチーフ９０、９０’は、軸Ａの方向にのみ変形され、軸Ａに垂直な軸Ｂ、すなわち水平方向軸の方向には変形されていない。
【００２５】
変形は、変形された図形のサブモチーフ１、１’が変形されていない図形サブモチーフの軸Ａの長さの１００％に対して１５０％の長さを有するように、変形されていない図形サブモチーフ９０、９０’の長さを５０％だけ伸長させるステップからなる。
【００２６】
本発明が、好ましい実施形態に対して説明されてきたが、前記実施形態は本発明を限定するものとみなされてはならず、本発明は添付の特許請求の範囲の最も広い解釈によって規定される。
【符号の説明】
【００２７】
１              広告装置、変形された図形モチーフ
１’            変形された図形モチーフ
１１            ブリッジ要素
１２、１３      層
９０、９０’    図形サブモチーフ
１００          プレイ領域
１０２          バリア領域
１０３          階段状の観客席
Ａ              軸
Ｂ              軸
【図１】
2017522619.tif 000003
【図２】
2017522619.tif 000004
【図３】
2017522619.tif 000005
【図４】
2017522619.tif 000006
【国際調査報告】
2017522619.tif 000007
2017522619.tif 000008
2017522619.tif 000009
2017522619.tif 000010
2017522619.tif 000011
2017522619.tif 000012